【事件の表示】
　特許第２６１２２６９号「電気掃除機」の特許に対する特許異議の申立てについて、次のとおり決定する。
【結　論】
　特許第２６１２２６９号の特許請求の範囲第１項、第２項に記載された発明についての特許を維持する。
【理　由】
〔1〕手続きの経緯
　本件特許第2612269号（以下「本件特許」という。）は、昭和62年4月9日の出願であって、平成9年2月27日に特許権の設定登録がされ、その後、金子富士夫により特許異議の申立てがされた。
〔2〕特許異議申立についての判断
(1)特許異議申立人の申立ての理由の概要
　特許異議申立人の申立ての理由は、本件特許の第１、第２の発明は、甲第１号証ないし甲第３号証に記載された発明から当業者が容易になし得た発明であり、特許法第２９条第２項の規定に違反してされたものであり、特許を受けることができないものであるから、本件特許は、特許法第１１３条第１項第２号の規定により取り消されるべきものである旨主張するものであり、以下の証拠を提出している。
　甲第１号証：特開昭60-114231号公報
　甲第２号証：特開昭58-221920号公報
　甲第３号証：特開昭59-146632号公報
(2)本件発明
　本件特許の第１の発明、第２の発明は、その特許請求の範囲に記載された以下のとおりのものと認める。
「請求項１
　集塵部、電動送風機、この電動送風機の吸込能力を検出する検出手段、前記電動送風機の出力を制御する制御手段を有する電気掃除機本体と、この電気掃除機本体に着脱自在に接続されたホース部とを具備し、前記ホース部、前記集塵部および前記電動送風機を連通する風路部を備えた電気掃除機において、
前記検出手段は、
前記風路部内の圧力を検出する圧力検出部と、
この圧力検出部の出力を電気的出力に変換する変換手段とを有し、
前記ホース部は、
前記電動送風機の吸込能力を設定する手許制御手段を有し、
前記制御手段は、
前記手許制御手段からの出力を検出する手許検出部と、
前記検出手段および前記手許検出部からの出力を読み取る識別手段と、
この識別手段からの出力によって設定された吸込能力を保つように前記電動送風機への入力を決定する圧力トリガ変換手段と、
この圧力トリガ変換手段の出力に従い前記電動送風機を制御する電力制御手段とを有し、
前記圧力トリガ変換手段は、
前記電力制御手段の導通位相制御角として所定の制御角を複数有するとともに設定された吸込能力の圧力値を複数の圧力域に区分し、それぞれ区分した圧力域に対応する導通位相制御角を前記複数の所定の制御角の中からあらかじめ決定し、前記識別手段の出力に対応する所定制御角のトリガを出力して前記電動送風機の吸込能力を設定された吸込能力に保つ
ことを特徴とする電気掃除機。
請求項２
　集塵部、電動送風機、この電動送風機の吸込能力を検出する検出手段、前記電動送風機の出力を制御する制御手段を有する電気掃除機本体と、この電気掃除機本体に着脱自在に接続されたホース部とを具備し、前記ホース部、前記電動送風機および前記集塵部を連通する風路部を備えた電気掃除機において、
前記検出手段は、
前記風路部内の圧力を検出する圧力検出部と、
この圧力検出部の出力を電気的出力に変換する変換手段とを有し、
前記ホース部は、
前記電動送風機の吸込能力を選択的に設定する洗濯手段を含みかつこの選択手段で設定された状態で前記電動送風機の吸込能力を設定する手許制御手段を有し、
前記制御手段は、
前記選択手段の出力を含む前記手許制御手段からの出力を検出する手許検出部と、
前記検出手段および前記手許検出部からの出力を読み取る識別手段と、
この識別手段からの出力によって前記選択手段で設定された吸込能力を保つように前記電動送風機への入力を決定する圧力トリガ変換手段と、
この圧力トリガ変換手段の出力に従い前記電動送風機を制御する電力制御手段とを有し、
前記圧力トリガ変換手段は、
前記電力制御手段の導通位相制御角として所定の制御角を複数有するとともに前記選択手段で選択された吸込能力の圧力値を複数の圧力域に区分し、前記選択手段で選択される種類に応じて上限の導通位相制御角を前記複数の所定の制御角の中からあらかじめ決定するとともに、それぞれ区分した圧力域に対応する導通位相制御角を前記複数の所定の制御角の中からあらかじめ決定し、前記識別手段の出力に対応する所定制御角のトリガを出力して前記電動送風機の吸込能力を設定された吸込能力に保つ
ことを特徴とする電気掃除機。」
(3)特許異議申立人の提示した甲号各証記載の発明
　甲第１号証には、電気掃除機の電力制御装置に関し、以下の事項が記載されている。
1)「本発明では、ホース先端が開放時であることを掃除機内の風圧センサで検知し、風量が一定(Q AUTO)になるよう制御するとともに、風量がごみ詰まりなどで低下した場合、あらかじめ設定された風量(ＱA、ＱB、ＱC・・・)に達すると電動送風機の消費電力を一定に制御するものである。第２図では真空度がＰ１になるように制御している。このことにより空圧センサだけで、定風量と定圧力制御を行うことができる。」(第2頁右上欄第10〜19行)
2)「電動送風機(7)の空気の出口近く配設された風圧センサは排出された空気に応動して空量変化を電気信号の大小の変化に変換する。」(第2頁左下欄第11〜13行)
3)「さらに、アナログマルチプレクサ(14)の入力端子Ｉ２〜Ｉ４には基準電圧(30)のＥＡ、(31)のＥＢ、(32)のＥＣがそれぞれ加えられている。
4)「前記回路構成において、増幅器(13)の出力Ｅ０は風圧センサ(11)の出力が増大（風量が増加）すると増大し、風圧センサ出力が低下(風量が低下)すると減少するように変化する。」(第3頁左上欄第8〜11行)
5)「ここで風量が増大すると、Ｅ０も増大し、ＥＢとなるとすれば、三角形とのクロス点Ｑが電位的に高くなるため、比較器(33)の出力は第６図(c)のように幅の狭いパルスに微分回路に微分され(f)に示すパルスでＯＮし、電動送風機(7)の消費電力は第６図(e)のように低くなり入力は低下する。そのため風量も低下し、風量を下げるように動作する。逆に風量が低下すると風量を増大させるように働く。すなわちアナログマルチプレクサ(14)の入力端子Ｉ１が前記ロジック回路の動作により選択され、定風量コントロールを行うことになる。しかし掃除機内にごみが詰り出すと、風量が低下してきて定風量領域をはずれ、本来の掃除機のＰ−Ｑ特性にのってくる。すると風量は少しずつ低下するため、比較器(15)〜(17)の出力は、比較器(15)より出力をＬ→Ｈに切換えることになる。このようすを第１表に入力選択機構の真理値表を示す。・・・すなわち、アナログマルチプレクサ(14)の入力切換端子Ｘ、Ｙをデイジタル的に変化させ、入力端子Ｉ１〜Ｉ４を順次切換えることになる。またアナログマルチプレクサ(14)の入力端子Ｉ２〜Ｉ４には、基準電圧ＥＡ〜ＥＣが加えられているため、第６図(a)のように各電位ＥＡ、ＥＢ、ＥＣに応じて電動送風機(7)の入力を切換えることになる・・・。すなわち、風量が大きい時は、アナログマルチプレクサ(14)の端子Ｉ１が選択され、定風量制御を行い、定風量領域をはずれると、アナログマルチプレクサ(14)の入力端子Ｉ１→Ｉ２→Ｉ３→Ｉ４の順に自動的に切換え、第２図に示すような真空度をＰ１に一定に保つよう制御することができる。」(第3頁右上欄第4行〜右下欄第1行)
　甲第２号証には、電気掃除機に関し、以下の事項が記載されている。
1)「そして、前記カバー(9)内の永久磁石(16)と可動板(13)に保持された磁気感応素子(17)と増幅器(22)とにより吸込風量を検出して、その風量に応じた信号を発するセンサ(23)が構成される(第６図参照)。また、第４図及び第５図に示すように吸込ホース(24)の握り管(25)に手元スイッチ(26)が設けられている。この手元スイッチ(26)は相対向する接点(27)(28)とスプリング(29)及び板ばね(30)により付勢されたノブ(31)とよりなる。接点(27)(28)は市販の吸込ホース(24)に内設された二条のピアノ線を介して司令部(32)に接続される。」(第2頁右下欄第19行〜左下欄第9行)
1)「このような構成において、手元スイッチ(26)はノブ(31)を一回押すたびにＯＮとなり、したがって、ＯＮさせる回数に対応するパルスがモード指令信号としてカウンタ(33)に出力される。デコーダ(38)はカウンタ(33)からの信号を振り分けてモード切換回路(39)に出力する。すなわち、１パルスの場合には、信号ａ'をスイッチＳａにインプットしてａ→ａ'  を導通させ、２パルスの場合には、信号ｂ''  をスイッチＳｂにインプットしてｂ−ｂ' を導通させ、３パルスの場合には信号ｃ''をスイッチＳｃにインプットしてｃ−ｃ'  間を導通させる。したがって、スイッチＳａがＯＮしたときはセンサ(23)の出力に応じてモータ制御回路(37)が電動送風機(6)の入力を制御する。このときは吸込風量の変化に応じて可動板(13)がヒンジ(14)を中心に回動し、磁気感応素子(17)の出力が変化するので、負荷に応じて電動送風機(6)の入力を自動的に制御する。スイッチＳｂがＯＮしたときは、手動コントロール部(34)のＨなる出力がモータ制御回路(37)に入力され、電動送風機(6)の入力は高められる。スイッチＳｃがＯＮしたときは、手動コントロール部(34)のＬなる出力がモータ制御回路(37)に入力され、電動送風機(6)は小さい出力により駆動される。このように、モード切換回路(39)はセンサ(23)又は手動コントロール部(34)の出力を選択的にモータ制御回路(37)に接続するが、この接続状態においてはモード表示部(41)がデコーダ(38)の出力を受けてＡ、Ｈ、Ｌのいずれかのモードを表示する。」(第3頁左上欄第10行〜右上欄第16行)
3)「なお、第７図に示すように、握り間(25)にそれぞれ独立したモード指定用の手元スイッチ(26a)(26b)(26c)及び停止用の手元スイッチ(26d)を配列してもよい。この場合には各手元スイッチ(26a)(26b)(26c)(26d)に接続された発振数の異なる発振回路を並列に接続した指令部をカウンタ(33)に接続すればよい。」(第3頁右下欄第7〜12行)
　甲第３号証には、電気掃除機に関し、以下の事項が記載されている。
1)「この発明は、電気掃除機の制御方式に係り、掃除される各種床面(例えば、床板、畳、じゅうたん等)の状態に合わせて運転モードを選択できるようにし、経済性の向上を図った電気掃除機に関するものである。」(第4頁右下欄第11〜15行)
2)「以上第２図〜４図で示す構成から成るこの発明の電気掃除機は、選択スイッチ(5A)を操作することで、フォットカプラ(14B)の光源(4B)が変化しその変化に応動する光導電可変抵抗(3F)の抵抗値変化によって双方向性サイリスタ(3A)の点弧位相を変化させることでモータ(1)の回転数制御を可能としている。また上記選択スイッチ(5A)は可撓性吸塵ホース(10)の把手部に設けているので、手元で容易に操作ができ、かつ床面に合ったモータ(1)の回転数、すなわち吸引力が設定できるため、効率的な電力で掃除が可能となり、経済的に有利となる。」(第3頁右上欄第7〜18行)
(4)対比・判断
　本件特許の第１の発明と甲号第１号証、甲第２号証に記載された発明とを対比する。
　甲第１号証には、掃除機内の圧力を風圧センサで検知し、風量が定風量領域内にあるときは、風量が一定になるように制御し、風量が定風量領域をはずれた場合には、真空度を一定に制御する電気掃除機は記載されているが、本願第１の発明の
「前記検出手段および前記手許検出部からの出力を読み取る識別手段と、この識別手段からの出力によって設定された吸込能力を保つように前記電動送風機への入力を決定する圧力トリガ変換手段」なる構成、「電力制御手段の導通位相制御角として所定の制御角を複数有するとともに設定された吸込能力の圧力値を複数の圧力域に区分し、それぞれ区分した圧力域に対応する導通位相制御角を前記複数の所定の制御角の中からあらかじめ決定し」なる構成は、記載も示唆もされていない。
　甲第２号証には、手元スイッチ26の操作により、モータを制御する電気掃除機が記載されているが、本願第１の発明の「前記検出手段および前記手許検出部からの出力を読み取る識別手段と、この識別手段からの出力によって設定された吸込能力を保つように前記電動送風機への入力を決定する圧力トリガ変換手段」なる構成、「電力制御手段の導通位相制御角として所定の制御角を複数有するとともに設定された吸込能力の圧力値を複数の圧力域に区分し、それぞれ区分した圧力域に対応する導通位相制御角を前記複数の所定の制御角の中からあらかじめ決定し」なる構成は、記載も示唆もされていない。
　したがって、本願第１の発明は、甲第１号証、甲第２号証に基づいて当業者が容易になし得たものとすることはできない。
　次に、本件特許の第２の発明と甲号第１号証ないし甲第３号証に記載された発明とを対比する。
  甲第１号証、甲第２号証には、本願第２の発明の「前記検出手段および前記手許検出部からの出力を読み取る識別手段と、この識別手段からの出力によって前記選択手段で設定された吸込能力を保つように前記電動送風機への入力を決定する圧力トリガ変換手段」なる構成、「電力制御手段の導通位相制御角として所定の制御角を複数有するとともに前記選択手段で選択された吸込能力の圧力値を複数の圧力域に区分し、前記選択手段で選択される種類に応じて上限の導通位相制御角を前記複数の所定の制御角の中からあらかじめ決定するとともに、それぞれ区分した圧力域に対応する導通位相制御角を前記複数の所定の制御角の中からあらかじめ決定し」なる構成は、記載も示唆もされていない。
　また、甲第３号証には、床面の状態に合わせて運転モードを選択できるようにし、運転モードに応じて双方向サイリスタの点弧位相を変化させることでモータの回転数制御を可能とした発明が記載されているが、本願第２の発明の「前記検出手段および前記手許検出部からの出力を読み取る識別手段と、この識別手段からの出力によって前記選択手段で設定された吸込能力を保つように前記電動送風機への入力を決定する圧力トリガ変換手段」なる構成、「電力制御手段の導通位相制御角として所定の制御角を複数有するとともに前記選択手段で選択された吸込能力の圧力値を複数の圧力域に区分し、前記選択手段で選択される種類に応じて上限の導通位相制御角を前記複数の所定の制御角の中からあらかじめ決定するとともに、それぞれ区分した圧力域に対応する導通位相制御角を前記複数の所定の制御角の中からあらかじめ決定し」なる構成は、記載も示唆もされていない。
　したがって、本願第２の発明は、甲第１号証ないし甲第３号証に基づいて当業者が容易になし得たものとすることはできない。
(5)むすび
　以上のとおりであるから、異議申立人の主張は採用できない。
　よって、結論のとおり決定する。
【異議決定日】
平成１２年６月５日（２０００．６．５）